(57)【特許請求の範囲】
【請求項１】
カーテンに対して下方から挿入して取付けるための縦方向に伸びる挿入杆と、
この挿入杆に対して下部でほぼＵ字状に連続し、装着状態でカーテンの前面側を挿入杆に沿って縦方向に伸び、カーテンの吊り環に掛け止めるためのフックを有する主杆とを具備し、
前記挿入杆をカーテンに挿入し、挿入杆と主杆との間でカーテンを挟んでカーテンに装着される弾性合成樹脂製のカーテン吊り具であって、
前記主杆には、装着時にカーテンを前後方向に貫通できるように前記挿入杆に向かって突出する突出係合部を有し、
前記挿入杆は、前記主杆を挿入杆に接近させたときに、前記突出係合部に対して弾性的に撓んで係合する対応係合部を有し、
前記突出係合部と対応係合部との係合により、カーテンに対する前後左右への揺動、離脱を阻止するものにおいて、
前記突出係合部は、その延出途上に、横断面が拡大した係合凸部を有し、
前記対応係合部は、左右外側に湾曲して両者間に挿通間隙を形成する左右少なくとも一対の係合片を有し、
この係合片は、左右のものの位置が互いに前後方向にずれるように配置されており、
前記突出係合部を前記対応係合部の挿通間隙へ挿入するときに、前記係合凸部が前記係合片を外側へ撓ませつつ進入して両者が係合するようにしたことを特徴とするカーテン吊り具。
【請求項２】
前記フックが前記主杆と別体に構成され、かつ主杆に対して下方へラチェット式にスライド可能に係合していることを特徴とする請求項１に記載のカーテン吊り具。
【請求項３】
前記フックが前記主杆と一体に構成されていることを特徴とする請求項１に記載のカーテン吊り具。
【発明の詳細な説明】
【０００１】
【産業上の利用分野】
本発明は、カーテンをランナの吊り環へ吊り止めるためのカーテン吊り具の改良に関するものである。
【０００２】
【従来の技術】
従来、合成樹脂製のカーテン吊り具として、例えば実開平８−３０６９４３号の公報に記載されたものが知られている。このカーテン吊り具は、カーテンに取付けるための縦方向の挿入杆と、下部において挿入杆にＵ字状に連続し、挿入杆と並行して縦方向に伸びる主杆とを具備する。主杆には、ランナの吊り環に掛け止めるためのフック体を備えると共に、カーテンを貫通して挿入杆側へ突出する貫通ピンを備える。挿入杆には、貫通ピンを受け入れるための凹所を備える。貫通ピンと凹所には、貫通ピンが凹所へ進入するときに、相互に弾性的に撓んで係合する係合部が設けられており、カーテンへの装着時に、貫通ピンと凹所との係合により、カーテンに対する揺動や離脱を阻止するようにしたものである。
【０００３】
【発明が解決しようとする課題】
上記従来のカーテン吊り具においては、カーテンに対する揺動防止について改善が見られるものの、凹所が挿入杆を前後方向貫通する構成であるため、これを合成樹脂で一体成型するのに金型の構成が複雑化し製造コストを引き上げる原因となるという問題点がある。従って、本発明は、上記従来のフックの問題点を解決し、上部がカーテンに確実に係止され、揺動することのない合成樹脂製のカーテン吊り具であって、比較的単純な金型で安価に得られるものを提供することを課題としている。
【０００４】
【課題を解決するための手段】
本発明においては、上記課題を解決するため、カーテン２１に下方から挿入して取付けるための縦方向に伸びる挿入杆３と、この挿入杆３に対して下部でほぼＵ字状に連続し、挿入杆３に沿って縦方向に伸び、前部にカーテンの吊り環に掛け止めるためのフック４を有する主杆２とを具備し、挿入杆３と主杆２との間でカーテンを挟んでカーテンに装着される弾性合成樹脂製のカーテン吊り具１を構成する。主杆２には、装着時にカーテン２１を貫通できるように挿入杆３に向かって突出する突出係合部５を設け、一方、挿入杆３には、これを主杆２に接近させたときに、突出係合部５を受け入れることができる対応係合部６を設ける。突出係合部５には、その延出途上に、横断面が拡大した係合凸部５ａ，５ｂを設け、対応係合部６には、左右外側に湾曲して両者間に挿通間隙６ａを形成する左右少なくとも一対の係合片６ｂ，６ｃ，６ｄを設ける。係合片６ｂ，６ｃ，６ｄは、その位置が互いに前後方向にずれるように配置する。そして、突出係合部５を対応係合部６の挿通間隙６ａへ挿入するときに、係合凸部５ａ，５ｂが係合片６ｂ，６ｃ，６ｄを外側へ撓ませつつ進入して両者が係合するようにした。
【０００５】
本発明のカーテン吊り具１は、カーテン２１への装着時に、挿入杆３と主杆２との間を弾性的に拡開しつつ、挿入杆３をカーテンのひだ部に挿入する。挿入杆３を所定位置まで差し込んだところで、突出係合部５をカーテンに貫通させる。突出係合部５は、カーテン２１を隔てて対向位置する挿入杆３の対応係合部６内に進入するが、この過程で、係合片６ｂ，６ｃ，６ｄが、係合凸部５ａ，５ｂに押されて弾性的に外方へ撓んだ後復元し、係合凸部５ａ，５ｂと係合片６ｂ，６ｃ，６ｄとが係合する。この結果、挿入杆３と主杆２とが、突出係合部５を介して結合され、相互のねじれが阻止されると共に、吊り具１は、その上部においてカーテン２１に確実に係止されることになる。従って、カーテン２１を移動させるとき等に容易に揺動することがない。比較的柔軟なプラスチック素材を用いて吊り具１を形成する場合には、挿入杆３が撓んで揺動しやすいが、本発明においては、上部の支持により確実に振れ止めされる。係合片６ｂ，６ｃ，６ｄの位置が互いに前後方向にずれているので、これを左右方向一対の比較的単純な金型で容易に成型することができる。
【０００６】
【発明の実施の形態】
図面を参照して本発明の実施の形態を説明する。図１は吊り具の側面図、図２は吊り具の正面図、図３は吊り具の背面図、図４はカーテンへの装着状態の吊り具の側面図、図５は吊り具の一部を拡大した側面図、図６は図５におけるVI−VI断面図、図７は吊り具の一部を拡大した背面図である。
【０００７】
図において、吊り具１は、弾性合成樹脂製で、縦方向に伸びる主杆２と挿入杆３とを備えている。挿入杆３と主杆２とは、下部において互いにほぼＵ字状に連続し、上方は並行して伸びている。
【０００８】
主杆２は、ラチェット式に相対位置を上下に変更可能なフック４を備えている。フック４は、図示しないランナの吊り環に掛け止めるためのものである。主杆２の上部には、挿入杆３側に、略直角に突出した突出係合部５を備えている。
【０００９】
図６に示すように、突出係合部５は、延出途上の左右両側面に、横断面が拡大した係合凸部５ａ，５ｂを備えている。
【００１０】
挿入杆３は、主杆２を挿入杆３に接近させたときに、突出係合部５に対して弾性的に撓んで係合する対応係合部６を備えている。対応係合部６は、左右外側に湾曲して両者間に挿通間隙６ａを形成する係合片６ｂ，６ｃ，６ｄを有する。係合片６ｂ，６ｃ，６ｄは、夫々の位置が前後方向にずれており、左右方向に金型を接合させて成型できるように構成されている。そして、突出係合部５を対応係合部６の挿通間隙６ａへ挿入するときに、係合凸部５ａ，５ｂが係合片６ｂ，６ｃ，６ｄを外側へ撓ませつつ進入して両者が係合するように構成されている。
【００１１】
突出係合部５は、カーテン２１のひだ部２２の縫い目を比較的に粗目にして、縫い目へ突き刺すようにしてもよいし、ひだ部２２の縫い目を一部とばして、この縫いとばし部へ挿入するようにしてもよい。
【００１２】
しかして、この実施形態の吊り具１は、挿入杆３と主杆２との間を弾性的に拡開しつつ、挿入杆３をカーテン２１のひだ部２２に挿入する。挿入杆３を所定位置まで差し込んだら、突出係合部５をひだ部２２の合わせ目に貫通させる。突出係合部５は、カーテン２１を貫通し、対向する挿入杆３の対応係合部６の挿入間隙６ａ内に進入する。突出係合部５の係合凸部５ａ，５ｂが、対応係合部６の係合片６ｂ，６ｃ，６ｄを外方へ弾性的に撓ませながら挿入間隙６ａ内に進入し、係合片６ｂ，６ｃ，６ｄを通過すると夫々係合片６ｂ，６ｃ，６ｄが弾性的に復元して係合する。カーテン２１を貫通する突出係合部５を介して、主杆２と挿入杆３とが結合される結果、吊り具１は、カーテン２１に確実に係止され、カーテン２１を移動させるとき等に容易に揺動しないし、抜け落ちることがない。吊り具１は比較的柔軟なプラスチック素材から成り、挿入杆３の基部が撓みやすいが、挿入杆３と突出係合部５との係合により確実に振れ止めされる。吊り具１をカーテン２１から外すときは、主杆２を強く前方に引き、突出係合部５と対応係合部６との係合を外した後、主杆２を挿入杆３から引き離すように操作しつつ、挿入杆３をカーテン２１から下方へ引き抜く。
【００１３】
なお、本発明は図示の実施形態に限定されるものではなく、例えばフック体４が、主杆２と一体に構成されている合成樹脂製の吊り具にも適用することができるし、十分な係合力が得られれば、対応係合部６の係合片を左右一対とすることができる。
【００１４】
【発明の効果】
以上のように、本発明においては、突出係合部５と対応係合部６との係合により、カーテン２１に対する揺動、離脱を確実に阻止することができ、係合片６ｂ，６ｃ，６ｄの位置が互いに前後方向にずれているので、これを左右方向一対の比較的単純な金型で容易に成型することができるという効果を有する。
【図面の簡単な説明】
【図１】吊り具の側面図である。
【図２】吊り具の正面図である。
【図３】吊り具の背面図である。
【図４】カーテンへの装着状態の吊り具の側面図である。
【図５】吊り具の一部を拡大した側面図である。
【図６】図５におけるVI−VI断面図である。
【図７】吊り具の一部を拡大した背面図である。
【符号の説明】
１    カーテン吊り具
２    主杆
３    挿入杆
４    フック
５    突出係合部
５ａ  係合突部
５ｂ  係合突部
６    対応係合部
６ａ  挿入間隙
６ｂ  係合片
６ｃ  係合片
６ｄ  係合片
２１  カーテン
２２  ひだ部
【図１】
0003995127.tif 000002
【図２】
0003995127.tif 000003
【図３】
0003995127.tif 000004
【図４】
0003995127.tif 000005
【図５】
0003995127.tif 000006
【図６】
0003995127.tif 000007
【図７】
0003995127.tif 000008